(57)【要約】【課題】同じイメージセンサを用いる場合に、従来よりも広いダイナミックレンジで原稿の画像を読み取ることのできる原稿読取装置を提供する。【解決手段】所定の露光条件で原稿を画素の集合として読み取る画像読取部と、前記画像読取部に第1の露光条件で原稿を読み取らせ、かつ、第1の露光条件より露光エネルギーの小さい第2の露光条件で原稿を読み取らせる読取制御部と、第1の露光条件で読み取られた各画素と第2の露光条件で読み取られた各画素をその位置を対応させて合成する画像合成部とを備える原稿読取装置。【選択図】図１
2008228190.tif 000002
【特許請求の範囲】
【請求項１】
所定の露光条件で原稿を画素の集合として読み取る画像読取部と、
前記画像読取部に第1の露光条件で原稿を読み取らせ、かつ、第1の露光条件より露光エネルギーの小さい第2の露光条件で原稿を読み取らせる読取制御部と、
第1の露光条件で読み取られた各画素と第2の露光条件で読み取られた各画素をその位置を対応させて合成する画像合成部とを備える原稿読取装置。
【請求項２】
前記画像読取部は、原稿の画像を画素単位の信号に変換するイメージセンサを有してなり、
読取制御部は、各画素に対するイメージセンサの露光時間を変えることにより第1と第2の露光条件を切替える請求項1記載の原稿読取装置。
【請求項３】
原稿を照射する光源をさらに備え、
前記光源はその照度を変え得るものであり、
前記読取り制御部は、前記光源の照度を変えることにより第1と第2の露光条件を切替える請求項1記載の原稿読取装置。
【請求項４】
間欠的に発光して原稿を照射する光源をさらに備え、
前記光源は間欠発光のデューティー比を変え得るものであり、
前記読取り制御部は、前記光源のデューティー比を変えることにより第1と第2の露光条件を切替える請求項1記載の原稿読取装置。
【請求項５】
原稿の各位値を読取るために原稿を走査する走査部をさらに備え、
読取制御部は、走査部が原稿を走査するときに第1の露光条件と第2の露光条件とを交互に切り替えながら各画素を読み取らせる請求項1記載の原稿読取装置。
【請求項６】
原稿を第1の露光条件で読み取ったときに得られる画素のレッド（R）、グリーン（G）、ブルー（B）の色成分の階調値をR1i,G1i,B1i、所定階調値Rs,Gs,Bsとして読み取られるべき基準階調原稿を第1の露光条件で予め読み取ったときの各色成分の階調値をそれぞれR1s,G1s,B1sとし、前記原稿を第2の露光条件で読み取ったときに得られる画素の各色成分の階調値をR2i,G2i,B2i、基準階調原稿を第2の露光条件で予め読み取ったときに得られる画素の各色成分の階調値をR2s,G2s,B2s、とするとき、
前記合成部は、各画素の合成後の出力Ro,Go,Boを、
（１）Roについては、R1i≦R1sならばRo=R1i、そうでなければRo=R2i×(R1s/R2s)、
（２）Goについては、G1i≦G1sならばGo=G1i、そうでなければGo=G2i×(G1s/G2s)、
（３）Boについては、B1i≦B1sならばBo=B1i、そうでなければBo=B2i×(B1s/B2s)
として合成する請求項１記載の原稿読取装置。
【請求項７】
原稿を第1の露光条件で読み取ったときに得られる画素のレッド（R）、グリーン（G）、ブルー（B）の色成分の階調値をR1i,G1i,B1i、所定階調値Rs,Gs,Bsとして読み取られるべき基準階調原稿を第1の露光条件で予め読み取ったときの各色成分の階調値をそれぞれR1s,G1s,B1sとし、前記原稿を第2の露光条件で読み取ったときに得られる画素の各色成分の階調値をR2i,G2i,B2i、基準階調原稿を第2の露光条件で予め読み取ったときに得られる画素の各色成分の階調値をR2s,G2s,B2s、とするとき、
前記合成部は、各画素の合成後の出力Ro,Go,Boを、
（１）Roについては、R1i≦R1sならばRo=R1i×(R2s/R1s)、そうでなければRo=R2i、
（２）Goについては、G1i≦G1sならばGo=G1i×(G2s/G1s)、そうでなければGo=G2i、
（３）Boについては、B1i≦B1sならばBo=B1i×(B2s/B1s)、そうでなければBo=B2i
として合成する請求項１記載の原稿読取装置。
【請求項８】
原稿を第1の露光条件で読み取ったときに得られる画素のレッド（R）、グリーン（G）、ブルー（B）の色成分の階調値をR1i,G1i,B1i、所定階調値Rs,Gs,Bsとして読み取られるべき基準階調原稿を第1の露光条件で予め読み取ったときの各色成分の階調値をそれぞれR1s,G1s,B1sとし、前記原稿を第2の露光条件で読み取ったときに得られる画素の各色成分の階調値をR2i,G2i,B2i、基準階調原稿を第2の露光条件で予め読み取ったときに得られる画素の各色成分の階調値をR2s,G2s,B2s、とするとき、
前記合成部は、各画素の合成後の出力Ro,Go,Boを、
（１）Roについては、R1i≦R1sならばRo=R1i×(Rs/R1s)、そうでなければRo=R2i×(Rs/R2s)、
（２）Goについては、G1i≦G1sならばGo=G1i×(Gs/G1s)、そうでなければGo=G2i×(Gs/G2s)、
（３）Boについては、B1i≦B1sならばBo=B1i×(Bs/B1s)、そうでなければBo=B2i×(Bs/B2s)
として合成する請求項１記載の原稿読取装置。
【請求項９】
請求項１〜８のいずれか一つに記載の原稿読取装置を備えてなる画像形成装置。
【発明の詳細な説明】
【技術分野】
【０００１】
この発明は、複数の露光条件で原稿を読み取ることのできる原稿読取装置および前記原稿読取装置を備えた画像形成装置に関する。
【背景技術】
【０００２】
近年、イメージセンサ、画像処理、半導体集積回路、レーザ等の光半導体素子の技術的進歩がめざましく、これらを利用したデジタル方式の原稿読取装置（スキャナ等）およびそれを備える画像形成装置（プリンタ等）が普及している。アナログ方式に比較したデジタル方式のメリットとして、編集機能が導入当初は強調されていた。しかし、前述した各デバイスの性能向上およびコスト低下に伴って、最近では画質の優位性が、デジタル方式の利点として挙げられるようになっている。画像処理技術を適用することにより、アナログ方式よりも自由度の高い処理が可能なためである。特に、カラーの原稿読取装置においては、色再現性や階調表現の面でアナログ方式に比して有利であるとするのは、一般に共通する認識であろう。
【０００３】
しかし、デジタル方式にも性能的な課題がある。その一つは、画像読取可能なダイナミックレンジが、人間の視覚に比べて狭いことである。即ち、原稿中の明暗のコントラストを人間の視覚ほど精度良く認識することができない。その問題は、特に原稿画像の明部と暗部の読み取り結果に顕著に現れる。明部を階調豊かに読み取ろうとすると、暗部がノイズに埋もれてしまう。信号／ノイズ比（Ｓ／Ｎ比）の良い状態で暗部を読み取ろうとすると、明部が飽和してしまう。
【０００４】
このような課題は、例えば、カメラの分野においても共通する。一般に、デジタルカメラは、ネガフィルム、即ち、アナログ方式に比べてラチチュード（写真の分野でダイナミックレンジに対応する用語）が狭いといわれている。そのため、より正確な露出制御が要求される。しかし、カメラ側で測光と演算が正確に行われたとしても、その結果決定された露出が、必ずしも撮影者の意図どおりのとは限らない。撮影者が表現したい部分がどこにあるかまで、カメラは認識することができないためである。結果的に、いわゆる露出オーバー、露出アンダーの作品になることがある。
【０００５】
そこで、カメラ側が決定した基準の露出に対して、露出を補正する機能（いわゆる、露出補正機能）がしられている。さらに、所定量だけ露出アンダーおよび露出オーバーの撮影も同時に行い、露出の異なる複数の画像を一括して記録する手法が提案されている。いわゆる、オートブラケット露光の機能である（例えば、特許文献１参照）。
【特許文献１】特開２００４−２２１６３９号公報
【発明の開示】
【発明が解決しようとする課題】
【０００６】
カメラと同様、原稿読取装置にも、露光量を調節できるようにしたものが多い。露光量を画像に応じて調整することにより、ユーザーは読取対象の画像に適した読取結果を得ることができる。ただし、このような調整はあくまでも原稿読取装置の性能的な制約を目立ちにくくするものであって、性能を改善するものではない。
【０００７】
画像読取のダイナミックレンジを現状よりも広げることができれば、より高い画質の原稿読取装置を実現することができる。さらに、調整を要する対象が減り、ユーザーの操作がより簡便になる。
【０００８】
この発明は、以上のような事情を考慮してなされたものであって、同じイメージセンサを用いる場合に、従来よりも広いダイナミックレンジで原稿の画像を読み取ることのできる原稿読取装置を提供するものである。
【課題を解決するための手段】
【０００９】
この発明は、所定の露光条件で原稿を画素の集合として読み取る画像読取部と、前記画像読取部に第1の露光条件で原稿を読み取らせ、かつ、第1の露光条件より露光エネルギーの小さい第2の露光条件で原稿を読み取らせる読取制御部と、第1の露光条件で読み取られた各画素と第2の露光条件で読み取られた各画素をその位置を対応させて合成する画像合成部とを備える原稿読取装置を提供する。
【００１０】
また、この発明は前記画像読取装置を備えてなる画像形成装置を提供する。
【発明の効果】
【００１１】
この発明の原稿読取装置は、前記画像読取部に第1の露光条件で原稿を読み取らせ、かつ、第1の露光条件より露光エネルギーの小さい第2の露光条件で原稿を読み取らせる読取制御部と、第1の露光条件で読み取られた各画素と第2の露光条件で読み取られた各画素をその位置を対応させて合成する画像合成部とを備えるので、従来よりも広いダイナミックレンジで原稿の画像を読み取ることができる。
【００１２】
以下、この発明の好ましい実施形態について説明する。
前記画像読取部は、原稿の画像を画素単位の信号に変換するイメージセンサを有してなり、読取制御部は、各画素に対するイメージセンサの露光時間を変えることにより第1と第2の露光条件を切替えてもよい。このようにすれば、露光時間を変えるという簡易な制御によって読み取りのダイナミックレンジを広げることができる。
【００１３】
あるいは、原稿を照射する光源をさらに備え、前記光源はその照度を変え得るものであり、前記読取り制御部は、前記光源の照度を変えることにより第1と第2の露光条件を切替えてもよい。このようにすれば、光源の照度を変えるという簡易な制御によって読み取りのダイナミックレンジを広げることができる。
【００１４】
あるいはまた、間欠的に発光して原稿を照射する光源をさらに備え、前記光源は間欠発光のデューティー比を変え得るものであり、前記読取り制御部は、前記光源のデューティー比を変えることにより第1と第2の露光条件を切替えてもよい。このようにすれば、間欠発光のデューティー比を変えるとという簡易な制御によって読み取りのダイナミックレンジを広げることができる。
【００１５】
原稿の各位値を読取るために原稿を走査する走査部をさらに備え、読取制御部は、走査部が原稿を走査するときに第1の露光条件と第2の露光条件とを交互に切り替えながら各画素を読み取らせてもよい。このようにすれば、第１の露光条件での読み取りと第２の露光条件での読み取りとで個別の走査を行う場合に比べ、原稿上の同一箇所の読み取りをほぼ同時に行うことができる。従って、異なる露光条件の読み取り結果の間の位置ズレが生じにくい。
【００１６】
また、原稿を第1の露光条件で読み取ったときに得られる画素のレッド（R）、グリーン（G）、ブルー（B）の色成分の階調値をR1i,G1i,B1i、所定階調値Rs,Gs,Bsとして読み取られるべき基準階調原稿を第1の露光条件で予め読み取ったときの各色成分の階調値をそれぞれR1s,G1s,B1sとし、前記原稿を第2の露光条件で読み取ったときに得られる画素の各色成分の階調値をR2i,G2i,B2i、基準階調原稿を第2の露光条件で予め読み取ったときに得られる画素の各色成分の階調値をR2s,G2s,B2s、とするとき、前記合成部は、各画素の合成後の出力Ro,Go,Boを、
（１）Roについては、R1i≦R1sならばRo=R1i、そうでなければRo=R2i×(R1s/R2s)、
（２）Goについては、G1i≦G1sならばGo=G1i、そうでなければGo=G2i×(G1s/G2s)、
（３）Boについては、B1i≦B1sならばBo=B1i、そうでなければBo=B2i×(B1s/B2s)
として合成してもよい。このようにすれば、簡単な演算処理によって、第１露光条件での読取結果と第２露光条件での読取結果を滑らかにつなぎ、読み取りのダイナミックレンジを広げることができる。
【００１７】
あるいは、原稿を第1の露光条件で読み取ったときに得られる画素のレッド（R）、グリーン（G）、ブルー（B）の色成分の階調値をR1i,G1i,B1i、所定階調値Rs,Gs,Bsとして読み取られるべき基準階調原稿を第1の露光条件で予め読み取ったときの各色成分の階調値をそれぞれR1s,G1s,B1sとし、前記原稿を第2の露光条件で読み取ったときに得られる画素の各色成分の階調値をR2i,G2i,B2i、基準階調原稿を第2の露光条件で予め読み取ったときに得られる画素の各色成分の階調値をR2s,G2s,B2s、とするとき、前記合成部は、各画素の合成後の出力Ro,Go,Boを、
（１）Roについては、R1i≦R1sならばRo=R1i×(R2s/R1s)、そうでなければRo=R2i、
（２）Goについては、G1i≦G1sならばGo=G1i×(G2s/G1s)、そうでなければGo=G2i、
（３）Boについては、B1i≦B1sならばBo=B1i×(B2s/B1s)、そうでなければBo=B2i
として合成してもよい。このようにすれば、簡単な演算処理によって、第１露光条件での読取結果と第２露光条件での読取結果を滑らかにつなぎ、読み取りのダイナミックレンジを広げることができる。
【００１８】
あるいはまた、原稿を第1の露光条件で読み取ったときに得られる画素のレッド（R）、グリーン（G）、ブルー（B）の色成分の階調値をR1i,G1i,B1i、所定階調値Rs,Gs,Bsとして読み取られるべき基準階調原稿を第1の露光条件で予め読み取ったときの各色成分の階調値をそれぞれR1s,G1s,B1sとし、前記原稿を第2の露光条件で読み取ったときに得られる画素の各色成分の階調値をR2i,G2i,B2i、基準階調原稿を第2の露光条件で予め読み取ったときに得られる画素の各色成分の階調値をR2s,G2s,B2s、とするとき、前記合成部は、各画素の合成後の出力Ro,Go,Boを、
（１）Roについては、R1i≦R1sならばRo=R1i×(Rs/R1s)、そうでなければRo=R2i×(Rs/R2s)、
（２）Goについては、G1i≦G1sならばGo=G1i×(Gs/G1s)、そうでなければGo=G2i×(Gs/G2s)、
（３）Boについては、B1i≦B1sならばBo=B1i×(Bs/B1s)、そうでなければBo=B2i×(Bs/B2s)
として合成してもよい。このようにすれば、簡単な演算処理によって、第１露光条件での読取結果と第２露光条件での読取結果を滑らかにつなぎ、読み取りのダイナミックレンジを広げることができる。
ここで示した種々の好ましい実施形態は、それら複数を組み合わせることもできる。
【発明を実施するための最良の形態】
【００１９】
以下、図面を用いてこの発明をさらに詳述する。なお、以下の説明は、すべての点で例示であって、この発明を限定するものと解されるべきではない。
【００２０】
画像形成装置の全体構成
まず、図２を用いて本発明の画像形成装置の主要部の構成について説明する。本実施形態の画像形成装置には、電子写真方式で画像形成を行う複写機、レーザープリンタ及びファクリミリ等の装置が含まれる。
【００２１】
本実施形態の画像形成装置は、イエロー（Ｙ），マゼンダ（Ｍ），シアン（Ｃ）及び黒（Ｋ）の画像形成部１と、画像形成部１ごとに設けられた転写ローラ３と、画像形成部１と転写ローラ３の間に設けられた転写ベルト５と、転写ベルト５に近接して設けられた濃度測定ユニット７と、転写ベルト５を駆動するベルト駆動ローラ９と、定着装置１１と、これらの制御を行う制御部１２とを備える。黒の画像形成部１は、モノクロ印刷とカラー印刷の両方に使用され、イエロー，マゼンダ及びシアンの画像形成部１は、カラー印刷に使用される。以下、黒の画像形成部１を「黒画像形成部１Ｋ」と呼び、イエロー，マゼンダ及びシアンの画像形成部１を「カラー画像形成部１Ｃ」と呼ぶ。
【００２２】
さらに、本実施形態の画像形成装置は、原稿の画像を読み取るスキャナ部４０を備える。スキャナ部４０は、請求項にいう原稿読取装置に相当する。スキャナ部４０は、原稿４６を載置する透明な原稿台４１、原稿台４１の上方を覆い、かつ、原稿４６を原稿台４１上に載置しあるいは取り除くために開閉可能に取り付けられる原稿カバー４７、原稿面と平行に往復動する第1走査ブロック４２、第1走査ブロック４２と同方向に移動する第2走査ブロック４３、結像レンズ４４およびリニアイメージセンサ４５を含む。第1走査ブロック４２には、原稿４６の原稿面を照射する露光ランプと原稿面からの反射光を反射する第1ミラーが取り付けられている。第2走査ブロック４３は、第2、第3ミラーが取り付けられている。原稿面からの反射光は、第1、第2、第3ミラー、結像レンズ４４を経てリニアイメージセンサ４５に達する。リニアイメージセンサ４５は、例えば、ＣＣＤ（電荷結合）素子であって、原稿４６の画像に対応したＲ（レッド）、Ｇ（グリーン）、Ｂ（ブルー）の各色成分の信号を出力する。第１走査ブロック４２と第２走査ブロック４３とは、図示しない駆動ワイヤーで連結され、かつ、図示しない駆動モータによって駆動される。前記駆動モータの回転は、制御部１２によって制御される。第２走査ブロック４３には、動滑車的に駆動ワイヤーと係合するプーリが取り付けられている。これによって、第２走査ブロック４３は、第1走査ブロック４２に対して半分の速度で往復動する。
【００２３】
第１走査ブロック４２は、測光モード時に所定の位置で停止して周辺光をリニアイメージセンサへ導く。また、読取モード時には、原稿台４１上に置かれた原稿を走査して、リニアイメージセンサ上に原稿の画像を結像させる。
また、制御部１２は、スキャナ部の各部の動作を制御する。制御部１２は、ＣＰＵ、ＲＯＭ、ＲＡＭ、画像処理回路、送受信回路、入出力回路などを含み、主として、ＲＯＭに格納されたプログラムをＣＰＵが実行することによってその機能が実現される。その機能には、請求項にいう読取制御部の機能も含まれる。印刷ジョブは、スキャナを介して本実施形態の画像形成装置に取り込まれるものであってもよい。
【００２４】
画像形成部１は、感光体ドラム１３と、帯電装置１５と、露光装置１７と、現像装置１９と、クリーニング装置２１とを備えている。帯電装置１５は、感光体ドラム１３を一様に帯電させることができるように構成されている。露光装置１７は、レーザーダイオードを有し、感光体ドラム１３に対してレーザ光を照射し、トナーを付着させるべき部分を除電して、潜像を形成できるように構成されている。現像装置１９は、イエロー，マゼンダ，シアン又は黒のトナーを収容しており、現像ローラを用いて前記潜像にトナーを付着させることによって前記潜像を現像して感光体ドラム１３上にトナーパターンを形成できるように構成されている。感光体ドラム１３上のトナーパターンは、転写ローラ３によって、転写ベルト５によって搬送されている記録紙に又は転写ベルト５自体に転写される。クリーニング装置２１は、転写後に感光体ドラム１３の表面に残ったトナーを除去できるように構成されている。
【００２５】
記録紙に転写されたトナーパターンは、定着装置１１において加熱溶融されて定着され、記録紙と共に出力される。また、転写ベルト５に付着したトナーや転写ベルト５に貯まった電荷は、図示しないクリーニング部材や除電部材によって除去される。ここでは、感光体ドラム１３上のトナーパターンが記録紙に直接転写される場合を例にとって説明を進めるが、感光体ドラム１３上のトナーパターンを中間転写ベルトに転写し、中間転写ベルト上のトナーパターンを記録紙に転写させるような実施形態にもここでの説明は基本的に当てはまる。
【００２６】
また、濃度測定ユニット７は、転写ベルト５に向けて光を照射する発光素子２３と、転写ベルト５上に転写されたトナーパターンで正反射した光を受光し、受光した光の光量に応じた電圧を出力する正反射受光素子２５と、前記トナーパターンで乱反射した光を受光し、受光した光の光量に応じた電圧を出力する乱正反射受光素子２６を備えている。ここでは、転写ベルト５上のトナーパターンに光を照射する場合を例に挙げて説明を進めるが、感光体ドラム１３上のトナーパターンに光を照射するような実施形態にもここでの説明は基本的に当てはまる。
【００２７】
カラー印刷の際は、カラー画像形成部１Ｃと黒画像形成部１Ｋの両方が用いられるが、モノクロ印刷の際は、転写ベルト５とカラー画像形成部１Ｃの間に隙間ができるように転写ベルト５が退避し、黒画像形成部１Ｋのみが用いられる。
【００２８】
イメージセンサの駆動と露光条件の切り替え
この発明に係るイメージセンサの駆動方法と読取り特性について説明する。この実施の形態では、イメージセンサがＣＣＤリニアイメージセンサの場合を例に説明する。ただし、イメージセンサの種類はこれに限定されず、ＣＭＯＳセンサや密着型センサなど、他の方式のセンサであってもよい。
【００２９】
図３は、ＣＣＤリニアイメージセンサの配置及び信号系統の構成を示す説明図である。図３のイメージセンサ４５は、ＲＧＢの各色がぞれぞれ４つのチャネルに分割され、各チャネルが異なる位置を並行して読み取るタイプのものである。イメージセンサの受光部は、左側に一列に並んだＬ０〜Ｌ３６９９の３７００個のＲ成分用の受光素子（Ｒ受光素子）と、その右側に一列に並んだＲ０〜Ｒ３６９９の３７００個のＲ受光素子を含む。即ち、合計７４００個のＲ成分受光素子が一列に並んでいる。ただし、図３に示したＲ受光素子は、有効画素に対応するものだけである。図示したＲ受光素子の他に、無効画素に対応するものも存在する。読み出し時、Ｒ受光素子Ｌ１、Ｌ３、…Ｌ３６９９の順に、左半分の奇数画素の信号を出力する第１チャネル、Ｒ受光素子Ｌ０、Ｌ２、…Ｌ３６９８の順に、左半分の偶数画素の信号を出力する第２チャネル、Ｒ受光素子Ｒ１、Ｒ３、…Ｒ３６９９の順に、左半分の奇数画素の信号を出力する第３チャネル、Ｒ受光素子Ｒ０、Ｒ２、…Ｒ３６９８の順に、左半分の偶数画素の信号を出力する第４チャネルの各チャネルに対応するＲ出力信号ＯＳ１、ＯＳ２、ＯＳ３、ＯＳ４が並行して出力される。図示を省略しているが、Ｇ成分、Ｂ成分についても同様の構成である。Ｇ出力信号として、ＯＳ５〜８が出力され、Ｂ出力信号として、ＯＳ９〜１２が出力される。
【００３０】
各受光素子が所定期間に渡って受光した受光量に対応する信号は、ＣＣＤセンサ駆動回路５１で生成されたシフトパルスＳＨが入力されることによりシフトゲートを介してへシフトレジスタへ転送される。シフトゲートは、奇数画素用のものと、偶数画素用のものがある。シフトレジスタとして、各チャネルに対応する４つのシフトレジスタが配置されている。各受光素子からシフトレジスタへ転送された信号は、外部からのクロックパルスΦ１およびΦ２に同期して各チャネルの出力信号（画素信号）として出力される。
【００３１】
ＣＣＤセンサ駆動回路５１は、クロックは新規４９で生成され分周回路５０を経たクロック信号ＣＬＫをもとに、イメージセンサ４５を駆動するための信号、シフトパルスＳＨ、クロックパルスΦ１およびΦ２、リセットパルスＲＳ、クランプパルスＣＰを生成する。
【００３２】
図４は、図３のイメージセンサ４５に供給されるシフトパルスＳＨ、クロックパルスΦ１およびΦ２、リセットパルスＲＳ、クランプパルスＣＰの各波形と、イメージセンサからの出力信号の波形を示す波形図である。出力信号としては、ＯＳ１〜１２の１２本の信号があるが、図４は、その代表としてＯＳ１のみを示している。他の出力信号も、ＯＳ１と並行して出力される。なお、図４のＣＬＫは、ＣＣＤセンサに直接供給されるものではないが、参考のために記している。
【００３３】
イメージセンサ４５から出力されるＲ出力信号ＯＳ１は、画素信号検出回路５３Ｌｏに入力される。画素信号検出回路５３Ｌｏは、Ｒ出力信号ＯＳ１を受けて、左側の各画素信号L1, L3, …, L3697, L3699を順次電圧に変換し、Ａ／Ｄ変換器５５Ｌｏへ供給する。Ａ／Ｄ変換器５５Ｌｏは、所定のタイミングで電圧に変換された前記画素信号をデジタルデータに変換する。クロック発振器４９、分周回路５０、ＣＣＤ駆動回路５１、画素信号検出回路５３Ｌｏ、Ａ／Ｄ変換器５５Ｌｏ、画素並べ替え部５７、画像メモリ５９は、制御部１２に含まれる。
【００３４】
図４に、Ａ／Ｄ変換の対象となる電圧を、図中にＶｐで記している。また、Ａ／Ｄ変換器５５Ｌｏが各画素信号をＡ／Ｄ変換するタイミングを記している。Ａ／Ｄ変換器５５Ｌｏは、時刻ts1でＲ受光素子Ｌ１の画素信号をサンプリングし、Ａ／Ｄ変換する。続けて、Ａ／Ｄ変換器５５Ｌｏは、時刻ts3, ts5, ts7, ts9, …, ts3693, ts3695, ts3697, ts3699で、L3, L5, L7, L9, …, L3693, L3695, L3697, L3699の各画素信号をサンプリングし、画素データを生成する。
【００３５】
画素並べ替え部５７は、Ａ／Ｄ変換器５５Ｌｏからのデータと出力信号ＯＳ２〜４が同様に処理されたＲ成分の他のデータとを受けて、データの順序を画素の配列と一致させる。制御部１２は、並べ替え後のＲデータは、画像メモリ５９に格納する。制御部１２は、出力信号ＳＯ５〜１２が同様に処理されたＧおよびＢ成分の画素データも、画像メモリ５９に格納する。ここで、Ｒ，Ｇ，Ｂの各色成分用の受光素子は、図４の矢印Ｓで示す副走査方向に所定の間隔で配置されている。イメージセンサ４５は、原稿に対して一定の相対速度で副走査方向へ移動しながら、原稿の各位値の画像を走査する。したがって、ある位置をＲ用受光素子が読み取るタイミングとＧ用受光素子が読み取るタイミングとＢ用受光素子が読取るタイミングとはそれぞれ異なる。その時間差は、各色成分の受光素子の間隔を移動速度で除した時間に等しい。制御部１２は、各色成分の読取り時間差を考慮し、同じ位置の各色成分の画像データを対応付けて管理する。
【００３６】
このようにして、各色１ラインを構成する７４００個の受光素子のデータを画像メモリ５９に格納される。制御部１２は、第１走査ブロック４２を副走査方向へ移動させながら、読み取りを繰り返す。
【００３７】
この発明で特徴的な点は、第１の露光条件（露光条件Ｅ１）で１ラインを読み取った後、第２の露光条件（露光条件Ｅ２）で次のラインを読取り、これを交互に繰り返すことである。即ち、２重露光モードで原稿を読み取る点である。図４は、露光条件を切替える一つの態様として、イメージセンサ４５を駆動するクロック周波数を１ラインを読み取る毎に切り替えるようにした駆動波形を示している。即ち、１ライン目の読出しにおいて、クロック発振器４９で発振周波数ｆのクロックが生成され、それが分周回路５０で１／２分周されてＣＬＫ信号となり、ＣＣＤセンサ駆動回路５１へ入力される。従って、１ライン目のＣＬＫ信号周波数はｆ／２である。１ライン目を読み出している期間、各受光素子は光を受ける。即ち、光蓄積時間（露光時間）ＴＣ１の期間、各受光素子は光を受ける。これは、露光条件Ｅ１に対応する。その結果、時刻Ｔ１のシフトパルスＳＨで各シフトレジスタへ出力される。出力された各画素信号は、２ライン目の読出し期間中に読み出される。これは、図４に「ＴＣ２の１ライン出力」として示している。
【００３８】
２ライン目の読出し期間において、分周回路５０はクロックを分周しない。従って、２ライン目のＣＬＫ信号周波数は、発振周波数に等しいｆである。２ライン目は、１ライン目の２倍のクロック周波数で読出しが行われる。その間、各受光素子は光を受ける。即ち、光蓄積時間（露光時間）ＴＣ２の期間、各受光素子は光を受ける。これは、露光条件Ｅ２に対応する。その結果は、時刻Ｔ２のシフトパルスＳＨで各シフトレジスタへ出力される。出力された各画素信号は、３ライン目の読出し期間中に読み出される。
【００３９】
なお、図示しない３ライン目の読出し期間において、ＣＬＫ信号周波数はｆ／２である。このように、分周回路５０は、ラインごとに、ＣＬＫ信号の周波数を切替える。これは、例えば、分周器５０が所定のパルスカウントごとに分周回路のオン／オフを切り替えることにより実現可能である。あるいは、分周回路５０が、シフトパルスＳＨを入力として受け、入力されたシフトパルスＳＨに応じて分周回路をオン／オフするよう構成してもよい。
【００４０】
厳密には、１ライン目と２ライン目の読取り位置は互いに異なるが、読取りが近接した時刻に行われるので、非常に近いものといえる。両者を同じ読取り位置としても実質的に問題がない場合は、１ライン目と２ライン目の画像データを直接合成してもよい。あるいは、露光条件Ｅ２については前後ラインのデータを補完処理し、露光条件Ｅ１の読取り時刻に対応するデータを算出してもよい。
【００４１】
露光条件切替の変形例
露光条件の切替えについての異なる態様を示す。露光ランプが原稿を照射する照度を、ラインごとに切替えることにより、露光条件を切り替えてもよい。この場合、露光ランプは応答性のよいものを用いる必要がある。例えば、高輝度の発光ダイオード（ＬＥＤ）を並べたＬＥＤアレイは、好適な一例である。発光ダイオードは、それに流れる電流の大きさによって照度が変わることが知られている。通常、ＬＥＤアレイを駆動する回路は、各ＬＥＤの照度バラツキを抑制するための電流制御回路を有している。その回路を利用して、ライン毎にＬＥＤの照度を切替えるようにすればよい。図５は、ＬＥＤアレイを駆動するための回路構成を示すブロック図である。図５で、前述の電流制御回路は、電流制御／安定化回路６３に含まれる。電流制御／安定化回路６３は、制御部１２からの指示に応じて、ライン毎に各ＬＥＤへの電流を切替える第１の駆動モードと、各ラインを一定の電流で駆動する第２の駆動モードのいずれかで動作する。
【００４２】
さらに、露光ランプの異なる態様として、キセノンランプを適用した例を示す。図６は、キセノンランプを露光ランプ６１として駆動する回路の構成を示すブロック図である。また、図６には、トリガー発生回路６７からのトリガー信号Trgの波形、スイッチＳＷ１およびＳＷ２のオンおよびオフの状態、および、キセノンランプに流れる電流Ixeの波形を、共通の時間軸で示している。
【００４３】
図６に示すように、スイッチＳＷ１とＳＷ２とは、２ライン周期で互いに相補的にオンおよびオフを繰り返す。トリガー発生回路６７は、キセノンランプ６１を放電させるトリガー信号Trgを生成する。ＳＷ１とＳＷ２とのオンおよびオフ状態の切替えおよびトリガー信号Trgのパルスは、シフトパルスＳＨと同期している。スイッチＳＷ１がオンすると、高圧電源の出力から制限抵抗Ｒ１を経てコンデンサＣ１にチャージされた電荷がキセノンランプ６１を介して放電する。このとき、キセノンランプ６１が発光する。また、スイッチＳＷ２がオンすると、高圧電源の出力から制限抵抗Ｒ２を経てコンデンサＣ２にチャージされた電荷がキセノンランプ６１を介して放電する。このとき、キセノンランプ６１が発光する。
【００４４】
ここで、コンデンサＣ１とＣ２とは、互いに容量が異なり、Ｃ１＞Ｃ２の関係にある。放電電流Ixeの大きさは、コンデンサの容量によって変わるので、発光時の照度はコンデンサＣ１からの放電時と、Ｃ２からの放電時とで異なる。その結果、露光条件が交互に切り替わることになる。
【００４５】
イメージセンサの読取特性と読取り結果の合成
露光条件Ｅ１およびＥ２の下で読み取られた画像の読取り結果について説明する。図７は、Ｒ成分の読取り結果を代表例として、各階調値の読み取り結果を示すグラフである。図７で横軸は、原稿画像の各濃度に対する理想の階調値である。階調値は、０〜２５５の８ビットで表現されるものとしている。０は最も暗く、２５５は最も明るい。縦軸は、イメージセンサ４５で読み取られた結果の階調値である。即ち、各濃度に対し、図４の画素信号の電圧ＶｐをＡ／Ｄ変換して得られる値である。換言すれば、図３において、画像メモリ５９に格納されるデータである。イメージセンサ４５による読取り結果は、８ビットで表現されるものとしている。イメージセンサ４５が理想の特性であれば、グラフは右肩上がりの直線になる。しかし、実際のセンサは非線形の特性を有している。特に、階調値が０付近（いわゆるシャドウ部）と、階調値が２５５付近（いわゆるハイライト部）とで、非線形性が強い。
【００４６】
まず、露光条件Ｅ１の読取り結果について説明する。図７で、鎖線で示す曲線Ｒ１ｉは、露光条件Ｅ１の下で、Ｒ成分についての各濃度の読み取り結果を示す階調特性の曲線である。なお、Ｇ，Ｂについても、同様の特性と考えてよい。露光条件Ｅ１は、光源の照度が高い。そのために、原稿の画像濃度に対応する横軸の階調値が１５０付近より大きいハイライト領域で、イメージセンサ４５の出力が飽和する。従って、原稿のすべての濃度に渡って露光条件Ｅ１の読取り結果を採用することは適当でない。しかし、出力が飽和していないシャドウ部については、後述する露光条件Ｅ２よりもＳ／Ｎ比の良い結果が得られる。
【００４７】
次に、露光条件Ｅ２の読取り結果について説明する。図７で、一点鎖線で示す曲線Ｒ２ｉは、露光条件Ｅ２の下で、Ｒ成分についての各濃度の読み取り結果を示す階調特性の曲線である。なお、Ｇ，Ｂについても、同様の特性と考えてよい。露光条件Ｅ２では、ハイライト部が飽和せず、従って、露光条件Ｅ１に比較して良好な線形特性が得られる。ただし、シャドウ部については、出力階調値が小さいために、Ｓ／Ｎ比が露光条件Ｅ１に比べて劣る。ここで、イメージセンサの暗ノイズは、露光ランプの照度に係らず一定である。ここで、暗ノイズの大きさが、例えば、読取り結果の階調値に換算して±２とする。暗ノイズの大きさは、原稿の画像濃度、即ち横軸の階調値に関係なく一定である。すると、読取り結果の階調値が２０のシャドウ部では、暗ノイズの強度が読取り結果の１０％に相当する。このレベルは、露光条件Ｅ１において横軸の階調値が５６に相当する。露光条件Ｅ２において横軸の階調値が９０に相当する。これらの領域を、暗ノイズの影響を受ける領域とすれば、露光条件Ｅ２は、Ｅ１に比べて暗ノイズの影響を受ける領域が広い。
【００４８】
そこで、横軸の階調値がＲｓ以下の領域では読み取り結果として曲線Ｒ１ｉの値を採用し、横軸の階調値がＲｓより大きい領域では読み取り結果として曲線Ｒ２ｉの値を（Ｒ１ｓ／Ｒ２ｓ）倍した値を採用する。このようにして得られる結果が、実線の曲線Ｒｏである。ここで、Ｒｓは、中間階調の基準濃度である。Ｒ１ｓは、基準濃度Ｒｓの原稿を露光条件Ｅ１で読み取ったときの読取り結果の階調値である。Ｒ２ｓは、基準濃度Ｒｓの原稿を露光条件Ｅ２で読み取ったときの読取り結果の階調値である。
【００４９】
曲線Ｒｏの値は、次のように表現することもできる。読取り結果の階調値がＲ１ｓ以下の画素は、その画素データを
Ro=αr1×R1i      ただし、αr1 = 1
とし、読取り結果の階調値がＲ１ｓより大きい画素は、その画素データを
Ro=αr2×R2i      ただし、αr2 = R1s/R2s
とする。αr1、αr2は、Ｒ成分の補正係数である。
なお、ハイライト部では、Ｒｏの算出結果は２５５を超える。即ち、読取り結果の階調値は、９ビットで表現される。
【００５０】
Ｇ，Ｂについても、同様の処理を行う。即ち、Ｇ成分については、
G1i≦G1sならば、  Go=αg1×G1i      （ただし、αg1 = 1）
そうでなければ、  Go=αg2×G2i      （ただし、αg2 = G1s/G2s)
とする。αg1、αg2は、Ｇ成分の補正係数である。
【００５１】
さらに、Ｂ成分については、
B1i≦B1sならば、  Bo=αb1×B1i      （ただし、αb1 = 1）
そうでなければ、  Bo=αb2×B2i      （ただし、αb2 = B1s/B2s)
とする。αb1、αb2は、Ｂ成分の補正係数である。
【００５２】
このようにすれば、異なる露光条件Ｅ１、Ｅ２で読み取った結果を滑らかにつなぎ合わせ、ハイライト部が飽和せず、かつ、シャドウ部のＳ／Ｎ比が良好な読取り結果が得られる。また、直線性のよい特性が得られる。換言すれば、単一の露光条件による読取り結果よりもダイナミックレンジの広い読取り結果が得られる。
【００５３】
異なる合成手法
図８は、図７と異なる合成手法を示すグラフである。図８では、横軸の階調値がＲｓ以下の領域では読み取り結果として曲線Ｒ１ｉの値を（Ｒ２ｓ／Ｒ１ｓ）倍した値採用し、横軸の階調値がＲｓより大きい領域では読み取り結果として曲線Ｒ２ｉの値を採用する。このようにして得られる結果が、実線の曲線Ｒｏである。図７と同様、Ｒｓは、中間階調の基準濃度であり、Ｒ１ｓ、Ｒ２ｓは、基準濃度Ｒｓの原稿を露光条件Ｅ１、Ｅ２でそれぞれ読み取ったときの読取り結果の階調値である。
【００５４】
曲線Ｒｏの値は、次のように表現することもできる。読取り結果の階調値がＲ１ｓ以下の画素は、その画素データを
Ro=αr1×R1i      ただし、αr1 = R2s/R1s
とし、読取り結果の階調値がＲ１ｓより大きい画素は、その画素データを
Ro=αr2×R2i      ただし、αr2 = 1
とする。αr1、αr2は、Ｒ成分の補正係数である。
なお、この態様によれば、Ｒｏの算出結果は０〜２５５の範囲に収まる。即ち、読取り結果の階調値は、８ビットで表現される。
【００５５】
Ｇ，Ｂについても、同様の処理を行う。即ち、Ｇ成分については、
G1i≦G1sならば、  Go=αg1×G1i      （ただし、αg1 = G2s/G1s）
そうでなければ、  Go=αg2×G2i      （ただし、αg2 = 1)
とする。αg1、αg2は、Ｇ成分の補正係数である。
【００５６】
さらに、Ｂ成分については、
B1i≦B1sならば、  Bo=αb1×B1i      （ただし、αb1 = B2s/B1s）
そうでなければ、  Bo=αb2×B2i      （ただし、αb2 = 1)
とする。αb1、αb2は、Ｂ成分の補正係数である。
【００５７】
このようにすれば、異なる露光条件Ｅ１、Ｅ２で読み取った結果を滑らかにつなぎ合わせ、ハイライト部が飽和せず、かつ、シャドウ部のＳ／Ｎ比が良好な読取り結果が得られる。また、直線性のよい特性が得られる。換言すれば、単一の露光条件による読取り結果よりもダイナミックレンジの広い読取り結果が得られる。
【００５８】
また、図１は、図７および図８とさらに異なる合成手法を示すグラフである。図１では、横軸の階調値がＲｓ以下の領域では読み取り結果として曲線Ｒ１ｉの値を（Ｒｓ／Ｒ１ｓ）倍した値を採用し、横軸の階調値がＲｓより大きい領域では読み取り結果として曲線Ｒ２ｉの値を（Ｒｓ／Ｒ２ｓ）倍した値を採用する。このようにして得られる結果が、実線の曲線Ｒｏである。Ｒｓは、中間階調の基準濃度であり、Ｒ１ｓ、Ｒ２ｓは、基準濃度Ｒｓの原稿を露光条件Ｅ１、Ｅ２でそれぞれ読み取ったときの読取り結果の階調値である。
【００５９】
曲線Ｒｏの値は、次のように表現することもできる。読取り結果の階調値がＲ１ｓ以下の画素は、その画素データを
Ro=αr1×R1i      ただし、αr1 = Rs/R1s
とし、読取り結果の階調値がＲ１ｓより大きい画素は、その画素データを
Ro=αr2×R2i      ただし、αr2 = Rs/R2s
とする。αr1、αr2は、Ｒ成分の補正係数である。
なお、この態様によれば、Ｒｏの算出結果は０〜２５５の範囲に収まり、かつ、ほぼその全範囲に及ぶ。即ち、読取り結果の階調値は、８ビットで表現される。
【００６０】
Ｇ，Ｂについても、同様の処理を行う。即ち、Ｇ成分については、
G1i≦G1sならば、  Go=αg1×G1i      （ただし、αg1 = Gs/G1s）
そうでなければ、  Go=αg2×G2i      （ただし、αg2 = Gs/G2s)
とする。αg1、αg2は、Ｇ成分の補正係数である。
【００６１】
さらに、Ｂ成分については、
B1i≦B1sならば、  Bo=αb1×B1i      （ただし、αb1 = Bs/B1s）
そうでなければ、  Bo=αb2×B2i      （ただし、αb2 = Bs/B2s)
とする。αb1、αb2は、Ｂ成分の補正係数である。
【００６２】
このようにすれば、異なる露光条件Ｅ１、Ｅ２で読み取った結果を滑らかにつなぎ合わせ、ハイライト部が飽和せず、かつ、シャドウ部のＳ／Ｎ比が良好な読取り結果が得られる。また、直線性のよい特性が得られる。換言すれば、単一の露光条件による読取り結果よりもダイナミックレンジの広い読取り結果が得られる。
【００６３】
原稿画像の読取り手順
図９および図１０は、この実施の形態において、制御部１２が、原稿を読み取る手順の一例を示すフローチャートである。フローチャートに沿って、読み取りの手順を説明する。なお、露光条件の切替えは、露光ランプ６１の照度を切替えることにより行われるものとする。
【００６４】
制御部１２は、図２に図示しない操作部をユーザーが操作して行った印刷ジョブの指示、即ち、原稿読み取り開始の指示を認識する。指示に応じて、制御部１２は、まず、原稿台４１の近傍に配置されたシェーディング補正用の基準白板（図２には図示していない）を読み取るべく、その位置へ移動する（ステップＳ１１）。そして、露光条件Ｅｏで基準白板を照射し（ステップＳ１３、その反射光を読み取って基準の出力が得られるように画素信号検出回路のゲインを調整する（ステップＳ１５）。いわゆる、シェーディング補正である。
【００６５】
その後、制御部１２は、指示された印刷ジョブが、２重露光モードで原稿を読み取るジョブか否かをしらべる。ここで、ユーザーは、操作パネルを用いて２重露光モードか通常の露光モードかを選択する。ユーザーの選択結果は、印刷ジョブの内容を示すパラメータとして印刷ジョブの指示に付加される。制御部は、付加されたパラメータのないように基づいて、２重露光モードか否かを判断する。判断の結果、２重露光モードでなければ、通常の露光モードで原稿を読み取る。この場合、制御部１２は、第１走査ブロック４２を副走査速度Ｖｓで移動させるように設定する（ステップＳ１９）。また、露光条件Ｅｏで露光ランプ６１を点灯させ、原稿４６を照射し（ステップＳ２１）、走査を開始するように制御する（ステップＳ２２）。
【００６６】
第１走査ブロック４２が原稿の先端に達したら、制御部１２は、１ライン単位で原稿の読み取りを開始させる。まず、１ラインの画像データを読み取らせる（ステップＳ２３）。このときの各画素の読取値をＲｉ、Ｇｉ、Ｂｉとする。各色の読取値は、それぞれ７４００個の要素からなり、各画素に対応する。読取結果の画素データ画像メモリ５９に格納する（ステップＳ２５）。そして、第１走査ブロック４２が読み取りの終端位置に達するまで、１ライン単位の読み取りを繰り返す（ステップＳ２７でＮｏのループ）。
【００６７】
読み取りの終端位置に達したら、制御部１２は、第１走査ブロック４２を走査開始位置へ戻す（ステップＳ２９）。制御部１２は、次に読み取るべき原稿があるかの指示をユーザーに求め（ステップＳ３２）次に読み取るべき原稿があれば、ルーチンはステップＳ２２へ進む。ユーザーからの読取開始の指示を受けると、それに応答して次の原稿の走査を開始する。次の原稿がない場合は、読取処理を終了し、読み取った原稿の画像を形成して出力する（ステップＳ３２）。以上は、通常の露光モードでの走査手順である。
【００６８】
前記ステップＳ１７で、２重露光モードが選択されている場合を以下に説明する。この場合、制御部１２は、第１走査ブロック４２を２重露光用の基準グレー板の位置へ移動させる（ステップＳ４１）。基準グレー板は、基準白板の隣に配置されている。ただし、図２には図示していない。基準グレー板の濃度は、図７にＲｓで示す濃度である。制御部１２は、まず、露光条件をＥ１に設定し（ステップＳ４３）、基準グレー板を読み取って、その結果をＲ１ｓ、Ｇ１ｓ、Ｂ１ｓとして一時的に保持する（ステップＳ４５）。次に、露光条件をＥ２に設定し（ステップＳ４７）、基準グレー板を読み取って、その結果をＲ２ｓ、Ｇ２ｓ、Ｂ２ｓとして一時的に保持する（ステップＳ４９）。読取結果に基づいて、補正係数αr1、αr2、αg1、αg2、αb1、αb2を算出する（ステップＳ５１）。各補正係数の算出方法は、読取結果の合成手法によって異なる。その算出式は、前述の各合成方法の説明で示したとおりである。
【００６９】
その後、制御部１２は、原稿の走査速度をＶｓ／２に設定する（ステップＳ５３）。２重露光モードの走査速度が通常の露光モードの半分であるのは、同一箇所を２回（２ラインとして）読み取る必要があるからである。
【００７０】
続いて、制御部１２は、原稿の走査を開始するように制御する（ステップＳ５４）。
第１走査ブロック４２が原稿の先端に達したら、制御部１２は、１ライン単位で原稿の読み取りを開始させる。まず、露光条件をＥ１とし（ステップＳ５５）、１ラインの画像データを読み取らせる（ステップＳ５７）。このときの各画素の読取値をＲ１ｉ、Ｇ１ｉ、Ｂ１ｉとする。各色の読取値は、それぞれ７４００個の要素からなり、各画素に対応する。１ラインの読み取りを終えたら、露光条件をＥ２とし（ステップＳ５９）、次の１ラインの画像データを読み取らせる（ステップＳ６１）。このときの各画素の読取値をＲ２ｉ、Ｇ２ｉ、Ｂ２ｉとする。１ラインの読取結果に基づいて、制御部１２は、各色の画素データを算出し、画像メモリ５９に格納する。演算は、各色の各画素についてそれぞれ行う。
【００７１】
まず、Ｒ成分について、各画素の演算を行う。各画素の値がＲｓ以下の場合（ステップＳ６３でＹｅｓの場合）、画素データＲｏを、αr1×Ｒ１ｉとして算出する（ステップＳ６７）。各画素の値がＲｓより大きい場合（ステップＳ６３でＮｏの場合）、画素データＲｏを、αr2×Ｒ２ｉとして算出する（ステップＳ６５）。算出結果の各画素データＲｏを画像メモリ５９に格納する（ステップＳ６９）。
【００７２】
また、Ｇ成分について、各画素の演算を行う。各画素の値がＧｓ以下の場合（ステップＳ７１でＹｅｓの場合）、画素データＧｏを、αg1×Ｇ１ｉとして算出する（ステップＳ７５）。各画素の値がＧｓより大きい場合（ステップＳ７１でＮｏの場合）、画素データＧｏを、αg2×Ｇ２ｉとして算出する（ステップＳ７３）。算出結果の各画素データＧｏを画像メモリ５９に格納する（ステップＳ７７）。
【００７３】
また、Ｂ成分について、各画素の演算を行う。各画素の値がＢｓ以下の場合（ステップＳ７９でＹｅｓの場合）、画素データＢｏを、αb1×Ｂ１ｉとして算出する（ステップＳ８３）。各画素の値がＢｓより大きい場合（ステップＳ７９でＮｏの場合）、画素データＢｏを、αb2×Ｂ２ｉとして算出する（ステップＳ８１）。算出結果の各画素データＢｏを画像メモリ５９に格納する（ステップＳ８５）。
【００７４】
なお、この実施形態では、Ｒ，Ｇ、Ｂの順に算出を行ったが、各色成分についての算出は、順不同である。好ましくは、並列的に行う。
このようにして、第１走査ブロック４２が読み取りの終端位置に達するまで、ライン単位の読み取りを繰り返す（ステップＳ８７でＮｏのループ）。
【００７５】
第１走査ブロック４２が読み取りの終端位置に達したら、制御部１２は、第１走査ブロック４２を走査開始位置へ戻す（ステップＳ８９）。制御部１２は、次に読み取るべき原稿があるかの指示をユーザーに求め（ステップＳ９１）次に読み取るべき原稿があれば、ルーチンはステップＳ５４へ進む。ユーザーからの読取開始の指示を受けると、それに応答して次の原稿の走査を開始する。次の原稿がない場合は、読取処理を終了し、読み取った原稿の画像を形成して出力する（ステップＳ９３）。
【００７６】
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【図面の簡単な説明】
【００７７】
【図１】この発明において、異なる露光条件の読取結果を合成した結果を示すグラフである。
【図２】この発明に係る画像形成装置の主要部の構成例を示す説明図である。
【図３】この発明のイメージセンサの一態様であるＣＣＤリニアイメージセンサの配置及び信号系統の構成を示す説明図である。
【図４】この発明のイメージセンサの駆動波形および出力波形の一例を示す波形図である。
【図５】この発明に係る露光ランプとしてのＬＥＤアレイを駆動するための回路構成を示すブロック図である。
【図６】この発明に係る露光ランプとしてのキセノンランプを駆動するための回路構成を示すブロック図である。
【図７】Ｒ成分の読取り結果を代表例とし、この発明に係るイメージセンサの各階調値の読み取り結果を示すグラフである。
【図８】この発明において、２重露光の読取結果を異なる手法で合成した結果を示すグラフである。
【図９】この実施の形態において、制御部が、原稿を読み取る手順の一例を示す第１のフローチャートである。
【図１０】この実施の形態において、制御部が、原稿を読み取る手順の一例を示す第２のフローチャートである。
【符号の説明】
【００７８】
１：画像形成部
１Ｋ：黒画像形成部
１Ｃ：カラー画像形成部
３：転写ローラ、転写部
５：転写ベルト
７：濃度測定ユニット
９：ベルト駆動ローラ
１１：定着装置
１２：制御部
１３：感光体ドラム
１５：帯電装置
１７：露光装置
１９：現像装置
２１：クリーニング装置
２３：発光素子
２５：正反射受光素子
２６：乱正反射受光素子
４０：スキャナ部
４１：原稿台
４２：第１走査ブロック
４３：第２走査ブロック
４４：結像レンズ
４５：リニアイメージセンサ、読取部
４６：原稿
４７：原稿カバー
４９：クロック発振器
５０：分周回路
５１：ＣＣＤセンサ駆動回路
５３Ｌｏ：画素信号検出回路
５５Ｌｏ：Ａ／Ｄ変換器
５７：画素並べ替え部
５９：画像メモリ
６１：露光ランプ
６３：電圧制御／安定化回路
６５：高圧電源
６７：トリガー発生回路
【図１】
2008228190.tif 000003
【図２】
2008228190.tif 000004
【図３】
2008228190.tif 000005
【図４】
2008228190.tif 000006
【図５】
2008228190.tif 000007
【図６】
2008228190.tif 000008
【図７】
2008228190.tif 000009
【図８】
2008228190.tif 000010
【図９】
2008228190.tif 000011
【図１０】
2008228190.tif 000012